(57)【要約】【課題】  美観を向上できるとともに、無駄なスペースが生じない機能ウォールを提供すること。【解決手段】  浴槽１５が設置された浴室１１の壁面部と、洗濯機１９が設置された洗面室１２の壁面部を連続した機能ウォール１０で構成した。そして、機能ウォール１０の内部に、浴槽１５内の残り湯を洗濯機１９に供給するための回収用配管２２を設置した。また、回収用配管２２を、浴槽１５に給湯するための給湯管２４ａから分岐された配管で構成し、回収用配管２２にポンプ２５を設けた。さらに、機能ウォール１０における洗濯機１９の近傍部分に穴部２６を設け、穴部２６に給水ホース１９ａを通して回収用配管２２から洗濯機１９に残り湯を供給可能にした。また、機能ウォール１０の内部に収容棚３１を形成した。【選択図】  図２
2006225959.tif 000002
【特許請求の範囲】
【請求項１】
浴槽が設置された浴室の壁面部と、前記浴槽内の残り湯を利用するための再利用装置が設置された再利用室の壁面部とを構成する機能ウォールであって、
前記浴室と前記再利用室とに連続して配置されるとともに、内部に、前記浴槽から前記再利用装置側に延びる回収用配管が設置されていることを特徴とする機能ウォール。
【請求項２】
前記回収用配管が、前記浴槽に湯水を供給するための供給用配管から分岐された配管で構成され、前記回収用配管にポンプが設けられている請求項１に記載の機能ウォール。
【請求項３】
前記機能ウォールにおける前記再利用装置の近傍部分に穴部を設け、前記穴部に水取り込み用部材を通して前記回収用配管から前記再利用装置に前記残り湯を供給可能にした請求項１または２に記載の機能ウォール。
【請求項４】
前記機能ウォールにおける前記回収用配管が設置されていない部分に、前記機能ウォールの内部空間を利用した収容棚を形成した請求項１ないし３のうちのいずれか一つに記載の機能ウォール。
【発明の詳細な説明】
【技術分野】
【０００１】
本発明は、浴槽が設置された浴室の壁面部と、浴槽内の残り湯を利用するための再利用装置が設置された再利用室の壁面部とを構成する機能ウォールに関する。
【背景技術】
【０００２】
従来から、浴室に設置された浴槽内の入浴後の残り湯を、洗濯室に設置された洗濯機に運んで、洗濯に使用することが行われている。このような場合に、電動ポンプ付きのホースを浴槽に設置して、浴槽内の水を吸い取り、この水をホースの先端部から洗濯機内に入れることが行われている。これによると、ホースが浴室から洗濯室に延びるため、浴室と洗濯室との間のドアが閉まらなかったり、浴室と洗濯室との間を歩く際にホースが邪魔になったりするという問題がある。また、使用後の濡れたホースの置き場にも困るという問題がある。このような問題を解決する装置として、浴室と洗濯室との間の壁部に、浴槽から延びる残り湯回収管を通し、この残り湯回収管の先端部側を洗濯機側に延ばした残り湯回収装置もある（例えば、特許文献１参照）。
【特許文献１】特開平１０−１９２５８８号公報
【発明の開示】
【０００３】
しかしながら、前述した従来の残り湯回収装置では、洗濯機を、浴室と洗濯室との間を仕切る壁から離れた場所に設置した場合には、残り湯回収管における露出した部分が長くなって、邪魔になったり美観を損ねてしまったりする。このため、洗濯機を、浴室と洗濯室との間を仕切る壁の近くに設置しなければならず、洗濯機の設置場所に制限が生じるという問題がある。また、残り湯回収管を設けることによって、洗濯室における洗濯機の裏面に沿った壁面と洗濯機との間に、デッドスペースが生じるという問題もある。
【０００４】
本発明は、前述した問題に対処するためになされたもので、その目的は、美観を向上できるとともに、無駄なスペースが生じない機能ウォールを提供することである。
【０００５】
前述した目的を達成するため、本発明に係る機能ウォールの構成上の特徴は、浴槽が設置された浴室の壁面部と、浴槽内の残り湯を利用するための再利用装置が設置された再利用室の壁面部とを構成する機能ウォールであって、浴室と再利用室とに連続して配置されるとともに、内部に、浴槽から再利用装置側に延びる回収用配管が設置されていることにある。
【０００６】
これによると、浴室や再利用室の壁面部を構成する機能ウォールの内部に、浴槽の残り湯を再利用装置に供給するための回収用配管が設置されているため、回収用配管が外部に露出しなくなり、回収用配管が露出することによって美観を損ねるといったことがなくなる。また、機能ウォールの表面には鏡を設けたり、模様を施したりすることもでき、これによって、さらに美観が向上する。さらに、機能ウォール内には、回収用配管の他、水道管から所定の水栓等に水を供給するための給水管や、その水を排水するための排水管等も設置することができる。また、回収用配管等は、板状に形成した機能ウォール内に設けた貫通穴で構成することもできる。さらに、機能ウォールが浴室と再利用室とに連続しているため、両室に一体感や開放感を生じさせることができる。なお、本発明における再利用装置とは、洗濯機やトイレの水洗タンクのように１度使用した水を再利用できる装置である。
【０００７】
また、本発明に係る機能ウォールの他の構成上の特徴は、回収用配管が、浴槽に湯水を供給するための供給用配管から分岐された配管で構成され、回収用配管にポンプが設けられていることにある。
【０００８】
これによると、元々浴槽に接続されている供給用配管を利用して、回収用配管を設けるため、浴槽に回収用配管を固定するための固定用部材等を設ける必要がなくなり、構造が簡単になるとともに、回収用配管の取り付け作業が容易になる。この場合、浴槽から再利用装置への残り湯の供給は、供給用配管側のバルブを閉じて、ポンプを作動させることにより行う。なお、回収用配管は、浴槽の排水口に接続されている排水管から分岐された配管で構成することも可能であり、この構成によれば浴槽内の残り湯を残すことなく供給することが可能となる。
【０００９】
また、本発明に係る機能ウォールのさらに他の構成上の特徴は、機能ウォールにおける再利用装置の近傍部分に穴部を設け、穴部に水取り込み用部材を通して回収用配管から再利用装置に残り湯を供給可能にしたことにある。この場合の水取り込み用部材とは、ホースや接続用配管等の流水路を備えた部材である。これによると、例えば、ホースの一端部を回収用配管の給水口に接続し、ホースの他端部を再利用装置側に延ばして、回収用配管から供給される水を再利用装置に取り込むことができる。また、穴部は、機能ウォールに対して着脱可能な蓋部材の縁部に設ける等して、穴部が目立たないようにすることが美観上から好ましい。
【００１０】
また、本発明に係る機能ウォールのさらに他の構成上の特徴は、機能ウォールにおける回収用配管が設置されていない部分に、機能ウォールの内部空間を利用した収容棚を形成したことにある。これによると、デッドスペースが無くなり、壁面部の有効利用が可能になる。この場合、機能ウォールにおける浴室側部分には、石鹸やシャンプー等の入浴用具を置くための収容棚を設け、再利用装置が洗濯機である場合には、機能ウォールにおける再利用室側部分に、洗剤等を置くための収容棚を設けることができる。また、再利用装置がトイレの水洗タンクである場合には、機能ウォールにおける再利用室側部分に、トイレットペーパーや洗浄剤等を置くための収容棚を設けることができる。
【発明を実施するための最良の形態】
【００１１】
以下、本発明の一実施形態を図面を用いて説明する。図１および図２は、同実施形態に係る機能ウォール１０が設置された浴室１１と、本発明の再利用室としての洗面室１２とを示している。この浴室１１と洗面室１２とは、仕切り壁１３によって仕切られており、仕切り壁１３には、浴室１１と洗面室１２との間を開閉するドア１３ａと、洗面室１２側が開口した棚１４ａを備えた窓部１４とが設けられている。そして、浴室１１の奥側の壁面部１１ｂに沿った部分に浴槽１５が設置されている。
【００１２】
また、壁面部１１ｂにおける浴槽１５の上部側部分には上下に長くなった窓部１６が形成されている。そして、仕切り壁１３の浴室１１側の面における上部側部分には、シャワー装置１７が設けられている。また、洗面室１２内における機能ウォール１０と仕切り壁１３との角部には、洗面室１２の床面１２ａから所定高さを保った状態で、洗面台１８が設けられている。この洗面台１８の上部には水栓１８ａが設けられ、前面部にはタオル掛け１８ｂが設けられている。そして、その洗面台１８と所定間隔を保つとともに、裏面を機能ウォール１０に沿わせた状態で床面１２ａ上に、本発明の再利用装置としての洗濯機１９が設置されている。なお、洗面室１２の壁面部１２ｂにおける洗濯機１９に対向する部分には出入用のドア１２ｃが設けられている。
【００１３】
機能ウォール１０は、浴室１１の壁面部１１ｃにおける浴槽１５に対向する部分よりも洗面室１２側部分と、洗面室１２の壁面基部１２ｄとの室内側面に沿って連続して形成されている。そして、機能ウォール１０の上下方向における上側の略半部の部分の中央に、浴室１１側から洗面室１２の洗濯機１９が設置された側の端部にかけて水平方向に延びる鏡２１が設けられている。そして、機能ウォール１０における鏡２１よりも下部側部分の内部に図３に示した回収用配管２２の下流側部分や、図４に示した排水口２３等が設置されている。図３に示したように、浴槽１５には、浴室１１の外部に配置された給湯装置２４から給湯管２４ａを介して所定温度の湯が供給されるようになっており、給湯管２４ａには開閉弁２４ｂが設けられている。
【００１４】
回収用配管２２は、この給湯管２４ａから分岐した配管で構成されており、その先端側部分は、機能ウォール１０内に延びて洗濯機１９の近傍に達している。回収用配管２２における浴槽１５側部分には、ポンプ２５が設けられており、開閉弁２４ｂを閉じた状態で、ポンプ２５を作動させることにより、浴槽１５内の残り湯を吸引して洗濯機１９側に送ることができる。
【００１５】
また、機能ウォール１０における洗濯機１９の上端部近傍には、接続用の穴部２６が設けられており、この穴部２６に洗濯機１９の給水ホース１９ａを通し、その先端部を回収用配管２２の供給口に接続することにより、回収用配管２２と給水ホース１９ａとを介して、浴槽１５と洗濯機１９の内部とを連通することができる。また、穴部２６には、蓋部材２７が着脱自在に取り付けられている。この蓋部材２７は、図５に示したように、長方形の板で構成され、穴部２６に取り付けられたときに、給水ホース１９ａと接触する縁部に切欠き穴２７ａが形成されている。したがって、穴部２６は蓋部材２７によって閉塞され、切欠き穴２７ａには給水ホース１９ａが揺れを防止された状態で通っている。
【００１６】
また、機能ウォール１０における洗濯機１９の下端部近傍には、排水用の穴部２６ａが設けられている。この穴部２６ａは、外部に通じる排水口２３に連通しており、洗濯機１９の排水ホース１９ｂの先端部を穴部２６ａに挿入して排水口２３に接続し洗濯機１９内の水を排出することにより、排水ホース１９ｂを介して洗濯機１９内の水を排水口２３に排出することができる。また、この機能ウォール１０内には、図６に示した給水給湯管２８や排水管２９も設置されている。給水給湯管２８は、給湯機や外部の水道管（図示せず）から洗面室１２内に延びており、先端部が水栓１８ａに接続されている。
【００１７】
したがって、操作部（図示せず）を開閉操作することにより、洗面台１８で湯や水を使用することができる。また、洗面台１８で使用された水等は、排水管２９から前述した排水口２３に流される。さらに、機能ウォール１０の浴室１１内部分には、図７に示した収容棚３１が設けられている。この収容棚３１は、機能ウォール１０を切り欠いてその凹部内に埋め込むことにより機能ウォール１０の内部空間を利用して形成されており、２段の棚部３１ａ，３１ｂと開閉扉３１ｃとを備えている。この収容棚３１には、石鹸やシャンプー等の入浴のための用具等が収容される。また、浴室１１または洗面室１２の壁面部の所定部分には操作パネルが設けられており、この操作パネルを操作することにより、開閉弁２４ｂやポンプ２５等を作動することができるように構成されている。
【００１８】
このように、本実施形態に係る機能ウォール１０では、内部に、浴槽１５の残り湯を洗濯機１９に供給するための回収用配管２２、給水給湯管２８および排水管２９等の各配管や排水口２３等が設置されているため、配管等が外部に露出して美観を損ねることがない。また、回収用配管２２が、浴槽１５に給湯するための給湯管２４ａから分岐しているため、浴槽１５に回収用配管２２を固定するための固定用部材等を設ける必要がなくなり、回収用配管２２の取り付け構造が簡単になるとともに、回収用配管２２の取り付け作業が容易になる。
【００１９】
さらに、機能ウォール１０が浴室１１と洗面室１２とに連続して設けられているため、浴室１１と洗面室１２とに一体感が生じるとともに開放感が出て室内が広く見えるようになる。また、洗濯機１９から機能ウォール１０内に給水ホース１９ａを延ばすための穴部２６に、蓋部材２７が取り付けられているため、穴部２６が目立たなくなり美観が向上する。さらに、機能ウォール１０に収容棚３１を形成したため、壁面部の有効利用が可能になる。
【００２０】
また、本発明に係る機能ウォールは、前述した実施形態に限るものでなく、適宜変更して実施することができる。例えば、前述した実施形態では、収容棚３１を機能ウォール１０における浴室１１側部分にだけ設けているが、この収容棚は、洗面室１２側にも設けることができる。これによって、さらに壁面部の有効利用ができる。この場合、収容棚には、洗剤等の洗濯のための用具や洗面用具等を置くことができる。また、機能ウォール１０の表面における鏡２１が設けられていない部分に模様を施すこともでき、これによると、さらに美観が向上する。
【００２１】
また、前述した実施形態では、機能ウォール１０の内部に回収用配管２２等の各配管を設置しているが、厚板状の機能ウォールの内部に貫通穴を形成して、この貫通穴で回収用配管等を構成してもよい。さらに、前述した実施形態では、再利用装置を洗濯機１９としているが、この再利用装置は、洗濯機１９に限るものでなく、トイレの水洗タンク等、浴槽１５で使用した残り湯を再利用できる装置であれば何でもよい。再利用装置を、トイレの水洗タンクとした場合には、機能ウォールに、トイレットペーパーや洗浄剤等を置くための収容棚を設けることができる。さらに、それ以外の部分についても、本発明の技術的範囲内で適宜変更することができる。
【図面の簡単な説明】
【００２２】
【図１】本発明の一実施形態に係る機能ウォールが取り付けられた浴室と洗面室を示した斜視図である。
【図２】図１の平面図である。
【図３】給湯管と回収用配管との接続状態を示した断面図である。
【図４】洗濯機と回収用配管との接続状態を示した断面図である。
【図５】蓋部材の正面図である。
【図６】洗面台と、給水管および排水管との接続構造を示した断面図である。
【図７】収容棚を示した断面図である。
【符号の説明】
【００２３】
１０…機能ウォール、１１…浴室、１２…洗面室、１５…浴槽、１９…洗濯機、１９ａ…給水ホース、１９ｂ…排水ホース、２２…回収用配管、２３…排水口、２４ａ…給湯管、２５…ポンプ、２６，２６ａ…穴部、２８…給水管、２９…排水管、３１…収容棚。
【図１】
2006225959.tif 000003
【図２】
2006225959.tif 000004
【図３】
2006225959.tif 000005
【図４】
2006225959.tif 000006
【図５】
2006225959.tif 000007
【図６】
2006225959.tif 000008
【図７】
2006225959.tif 000009